(57)【要約】【課題】　コイン払出装置を遊技機に着脱する時に大きな力を必要とせず作業者への負担を軽減すると共に、作業性が向上した遊技機用コイン払出装置を提供すること。【解決手段】　遊技機１０内部の基板２０にガイドレール２２，２４及び第１コネクタ３０を設け、コインを収容するバケット部１６と、バケット部１６を支持し、第２コネクタを備えた基台１８とを有するコイン払出装置１４は、基台１８の側面に設けたガイド片３６を、ガイドレール２２，２４に沿って移動することにより遊技機１０内に着脱される。基台１８を遊技機１０内部の所定位置まで移動させたとき、一方のコネクタ側に設けた突起部と他方のコネクタ側に設けた穴部とが嵌合し、第１コネクタ３０と第２コネクタとが嵌合し、ロック機構が基台１８の移動を固定する。【選択図】　　　　　図１
2004130148.tif 000002
【特許請求の範囲】
【請求項１】
　遊技機に着脱可能に設置され、多数のコインを収容するバケット部と該バケット部を支持する基台とを有する遊技機用コイン払出装置において、前記遊技機内部に取り付けた基板にガイドレール及び第１コネクタを設け、前記コイン払出装置は、前記基台の側面に設けられ、前記ガイドレールに沿って移動可能なガイド片と、該ガイド片を前記ガイドレールに係合した状態で、前記基台を前記遊技機内部の所定位置まで移動させたとき、前記第１コネクタと嵌合するよう前記基台に設けられた第２コネクタと、前記基台のガイドレールに沿った移動を固定するロック機構とを有して成り、前記第１コネクタ及び第２コネクタの内、一方のコネクタ側に突起部を設けると共に、他方のコネクタ側に前記突起と嵌合する穴部を設けたことを特徴とする遊技機用コイン払出装置。
【請求項２】
　前記突起部の先端は、略円錐形状となっていることを特徴とする請求項１に記載の遊技機用コイン払出装置。
【請求項３】
　前記突起部は、第２コネクタ側に設けられると共に、その先端が第１コネクタとの嵌合方向に対して、前記第２コネクタにおいて最も突出していることを特徴とする請求項１又は２に記載の遊技機用コイン払出装置。
【請求項４】
　前記ロック機構は、前記基台の底面の一部に突設された係止部材と、前記基板に設けられ、前記基台を前記遊技機内部の所定位置まで移動させたとき前記係止部材と係合するロック部材と、前記基台に設けられ、前記ロック部材を移動させて前記ロック部材と前記係止部材との係合を解除する解除部材とからなることを特徴とする請求項１乃至３のいずれかひとつに記載の遊技機用コイン払出装置。
【請求項５】
　前記ロック機構は、前記基板に設けられた開口部と、前記基台に設けられ、前記開口部に係合すると共に、前記開口部との係合位置と非係合位置との間で移動可能な係止部材と、該係止部材を前記係合位置と非係合位置との間で移動させるロック・解除部材とからなることを特徴とする請求項１乃至３のいずれかひとつに記載の遊技機用コイン払出装置。
【発明の詳細な説明】
【技術分野】
【０００１】
　本発明は、スロットマシン等のコインを遊技媒体とする遊技機の内部に設置されるコイン払出装置に関し、特に、遊技機内にコイン払出装置を着脱する構造に関する。
【背景技術】
【０００２】
　コイン（メダル等を含む）のコイン払出装置は、遊技場でのスロットマシンやメダル貸出装置などの遊技機に内蔵され、遊技機のコイン払出装置として使用されている。
　このようなコイン払出装置は、主に、コインを無配列に多数収容するバケット部と、このバケット部のコインを１枚ずつ同一面に揃えて送出する送出部と、実際に送出されたコインを検出して、送出枚数のカウントを行うセンサ部と、これらを支持する基台とから構成されている。
　また、コイン払出装置と遊技機（例えば、スロットマシン）とは、コネクタケーブル、コネクタ等を介して電気的に接続されている。
【０００３】
　コネクタケーブルでコイン払出装置とスロットマシンとを接続した場合、メンテナンス時などに、コイン払出装置をスロットマシンから外す際、作業者はまず前面扉を開ける。そして、スロットマシン内に設けられたガイドレールに沿ってコイン払出装置をある程度手前に引き出した後、コネクタケーブルを外してコイン払出装置をスロットマシンの外に引き出す。
　コイン払出装置をスロットマシンに収納するときは、ある程度コイン払出装置をスロットマシン内に挿入し、コネクタケーブルをつないだ後、コイン払出装置をスロットマシンの所定の位置に収納する。
【０００４】
　これとは別に、一対のコネクタをコイン払出装置の後端とスロットマシンの奥とに設け電気的に接続した場合、コイン払出装置をガイドレールに沿って前後に移動させることによって、コネクタを結合させたり外したりする。
　この場合、コイン払出装置はコネクタ同士の噛み合う力によって、スロットマシンの所定の位置に固定される。
【発明の開示】
【発明が解決しようとする課題】
【０００５】
　しかしながら、コネクタケーブルでコイン払出装置とスロットマシンを接続した場合、作業者は２つの作業を同時にしなければならない。即ち、コイン払出装置をスロットマシンから外す際、コイン払出装置を手前に引き出すと同時にコネクタケーブルを外さなければならない。また、コイン払出装置をスロットマシンに収納する際、コネクタケーブルをつなぐと同時にコイン払出装置を収納しなければならない。
【０００６】
　通常、メンテナンスは作業者１人で行うことが多く、また、多数のコインが収納されたコイン払出装置自体重い。さらに、コイン払出装置を持つときに、バケット部を持つとメダルの重量によって基台と分離してしまう虞れがあり、必ず基台下部を持って作業しなければならない。このため、コイン払出装置の着脱に手間が掛かり作業性も悪い上、作業者の負担が大きくなるという問題がある。
　また、着脱時にコイン払出装置をガイドレールに沿って移動させるとガイド片とガイドレールとの間の摩擦抵抗が大きく、作業者の負担が大きくなってしまうという問題がある。特に、コイン払出装置に多数のコインがある場合、作業者の負担は大きいものとなっている。
　一方、コネクタでコイン払出装置とスロットマシンを接続した場合には、コネクタ同士が噛み合う力によってコイン払出装置の位置を固定しているので、コネクタ同士を外す際にも大きな力を必要とし、両手で思いっきり引っ張らなければならないという問題もある。
【０００７】
　本発明の目的は、コイン払出装置を遊技機に着脱する時に大きな力を必要とせず作業者への負担を軽減すると共に、作業性が向上した遊技機用コイン払出装置を提供することにある。
【課題を解決するための手段】
【０００８】
　本発明の遊技機用コイン払出装置は、遊技機に着脱可能に設置され、多数のコインを収容するバケット部と該バケット部を支持する基台とを有するものであって、前記遊技機内部に取り付けた基板にガイドレール及び第１コネクタを設け、前記コイン払出装置は、前記基台の側面に設けられ、前記ガイドレールに沿って移動可能なガイド片と、該ガイド片を前記ガイドレールに係合した状態で、前記基台を前記遊技機内部の所定位置まで移動させたとき、前記第１コネクタと嵌合するよう前記基台に設けられた第２コネクタと、前記基台のガイドレールに沿った移動を固定するロック機構とを有して成り、前記第１コネクタ及び第２コネクタの内、一方のコネクタ側に突起部を設けると共に、他方のコネクタ側に前記突起と嵌合する穴部を設ける。
【０００９】
　以下の各構成を採用しても良い。
　前記突起部の先端は、略円錐形状となっている構成。
　前記突起部は、第２コネクタ側に設けられると共に、その先端が第１コネクタとの嵌合方向に対して、前記第２コネクタにおいて最も突出している構成。
【００１０】
　前記ロック機構は、前記基台の底面の一部に突設された係止部材と、前記基板に設けられ、前記基台を前記遊技機内部の所定位置まで移動させたとき前記係止部材と係合するロック部材と、前記基台に設けられ、前記ロック部材を移動させて前記ロック部材と前記係止部材との係合を解除する解除部材とからなる構成。
　前記ロック機構は、前記基板に設けられた開口部と、前記基台に設けられ、前記開口部に係合すると共に、前記開口部との係合位置と非係合位置との間で移動可能な係止部材と、該係止部材を前記係合位置と非係合位置との間で移動させるロック・解除部材とからなる構成。
【発明の効果】
【００１１】
　請求項１乃至請求項３に係る発明によれば、遊技機内部の基板に設けられたガイドレールに沿って基台の側面に設けられたガイド片を移動させ、コイン払出装置を遊技機の所定の位置に移動させることにより、第１コネクタと第２コネクタとが確実に接続されると共に、ロック機構が基台を遊技機内の所定位置に固定するので、作業者は、大きな力を必要とせずにコイン払出装置を遊技機に容易に取り付けることができる。
　また、ロック機構を解除して基台を所定の位置から引き出すと、第１コネクタと第２コネクタとの接続が外れ、基台を遊技機から容易に取り外すことができるので、作業者は煩雑な操作や大きな力を必要とすることなく、コイン払出装置を遊技機から取り外すことができる。従って、作業者の負担は軽減され、作業性も向上する。
【００１２】
　請求項４に係る発明によれば、コイン払出装置を遊技機に取り付けると、ロック部材が係止部材に係止して、基台が遊技機に固定され、コイン払出装置を遊技機から取り外す場合には、解除部材によってロック部材を移動させ固定を解除し、基台を遊技機から解放するため、作業者は容易にコイン払出装置を遊技機に取り付けたり、遊技機から取り外したりすることができる。
　請求項５に係る発明によれば、コイン払出装置を遊技機に固定する場合、ロック・解除部材を操作して開口部に係止部材を係止させ、基台を遊技機に固定させ、コイン払出装置を遊技機から取り外す場合には、ロック・解除部材を操作して係止部材を開口部から外し、基台を遊技機から解放するので、作業者は片手でもコイン払出装置を遊技機に着脱させることができる。
【発明を実施するための最良の形態】
【００１３】
　以下、本発明の実施例を図面に基づいて詳細に説明する。
【００１４】
　第１実施例
　図１は、本発明の第１実施例のコイン払出装置をスロットマシンから取り出した状態を示す。
　スロットマシン１０は、キャビネット１２と図示しない前面扉とで略長方体に形成されている。キャビネット１２には、コイン払出装置１４が内蔵され、コイン払出装置１４は、多量のコインを収容するバケット部１６と、このバケット部１６を支持する枠体として形成される基台１８とから成る。基台１８は、梁部１８ａと足部１８ｂを有し、基台１８の上部が適当な角度（例えば２５度）で斜めに形成されている。基台１８の側面には、ガイド片３６と第２ローラ３８とが突設され、基台１８の手前側（前面側）には、コイン払出装置１４のロック機構の一部である解除部材２８が備えられている。
【００１５】
　キャビネット１２の底面１９の中心部に、基板２０がねじ４２、４２、４２、４２で位置決めされており、図２に示すように、基板２０は中央が開口２１の枠体で、両側部は垂直方向に折れ、その内側にはガイドレール２２、２４と第１ローラ３２、３４とが設けられている。基板２０の手前側には、ロック機構を構成するロック部材２６がねじ２７で固定され、基板２０の奥には、コネクタ保持部材４０によって第１コネクタ３０が保持され固定されている。
【００１６】
　コイン払出装置１４のロック機構は、図３に示すような解除部材２８とロック部材２６と、後述する係止部材４４とによって構成されている。
　解除部材２８は、一辺が垂直方向に折れ、ねじ孔２８ｄ、２８ｅ、２８ｅを有するねじ止め部２８ａと、ロックを解除するときに押す押圧部２８ｂとを有し、中央が開口２８ｃである枠状に形成されている。
【００１７】
　ロック部材２６は、弾性を有する部材（例えば合成樹脂）であり、基板２０に固定するためのねじ孔２６ｂを有する固定部２６ａと、固定部２６ａの一辺が段差を有するように延設された中間部２６ｃと、中間部２６ｃに段差を設けることによって係止部材４４を係止する係止部２６ｅを有し、押圧部２８ｂによって押されて係止部２６ｅが下方に移動して係止を解除する解除部２６ｄとから３段階に形成されている。
【００１８】
　図４（Ａ）は、解除部材２８と係止部材４４とがコイン払出装置１４の基台１８の手前側（前扉側）に固定された状態を底面から観た図である。
　解除部材２８は、基台１８の内側（図中右側）からねじ２９で固定され、外側（図中左側）に押圧部２８ｂが位置する。開口２８ｃからは、図４（Ｂ）に示す係止部材４４が突出しており、基台１８の梁部１８ａに一体に形成された係止部材４４は三角片状の支持部材４４ａ、４４ａで補強されている。
【００１９】
　図５は、第２コネクタ３１が取付板４６を介して基台１８に取り付けられた状態を示す。コイン払出装置側の第２コネクタ３１は、解除部材２８が取り付けられた反対側（スロットマシン１０の奥側）に取り付けられており、コイン払出装置１４がスロットマシン１０内に固定されると、コネクタ保持部材４０に保持されているスロットマシン側の第１コネクタ３０と結合する。取付板４６は、基台１８の内側に一体に形成されている。
【００２０】
　図６に示すように、第１コネクタ３０は、筒状の穴部３０ａ、３０ｂを有し、ケーブル５０を備えている。一方、第２コネクタ３１は、突起部３１ａ、３１ｂを有し、ケーブル５１を備えている。図７に示すように、穴部３０ａ、３０ｂと突起部３１ａ、３１ｂとがそれぞれ係合して第１コネクタ３０と第２コネクタ３１とが結合する。これにより、スロットマシン１０とコイン払出装置１４とが電気的に接続する。
【００２１】
　次に、コイン払出装置１４の作動を説明する。
　図８は、コイン払出装置１４が基板２０に固定された状態を示す断面図である。ガイドレール２２に第２ローラ３８とガイド片３６とが導入されており、第１コネクタ３０と第２コネクタ３１とは結合している。
【００２２】
　コイン払出装置１４を取り外す場合、ロック部材２８を垂直方向に押してロックを解除し、水平右方向に基台１８を引っ張る。この時、第２コネクタ３１は第１コネクタ３０から離脱し、第１ローラ３２がガイド片３６の下面３６ａを摺動し、また、第２ローラ３８がガイドレール２２の上部内面２２ａを摺動する。
　図９に示す位置まで、コイン払出装置１４を移動させると、ガイド片３６の凸部３６ｂと第１ローラ３２とが係合してコイン払出装置１４は停止する。必要があれば、さらに引き出すことによりコイン払出装置１４を取り外すことができる。
【００２３】
　図１０（Ａ）は、ロック機構によりコイン払出装置１４がロックされている状態を示す部分断面図であり、底面１９上の基板２０にロック部材２６がねじ２７で固定され、係止部材４４と係止部２６ｅとが係止している。この時、係止部材４４は支持部材４４ａにより補強されているので、係止部２６ｅによって圧力が加わっても折れたりすることがない。
　図１０（Ｂ）に示すように、解除部材２８の押圧部２８ｂを垂直方向に押下して係止を解除し、水平右方向に引っ張ると、図１０（Ｃ）に示すように、基台１８を移動させることができる。
【００２４】
　コイン払出装置１４を取り付けるときは、水平左方向に基台１８を図１０（Ａ）の位置に移動させればロックされ、コイン払出装置１４はスロットマシン１０に固定される。これにより、第１コネクタ３０と第２コネクタ３１とが結合する。
【００２５】
　上記のように、第１実施例によれば、解除部材２８を押圧して基台１８を引っ張るだけで、スロットマシン１０からコイン払出装置１４を取り外し、第２コネクタ３１を第１コネクタ３０から離脱することができる。また、コイン払出装置１４を逆方向に移動させるだけで、スロットマシン１０内に固定させ、第１コネクタ３０と第２コネクタ３１とを結合させコイン払出装置１４とスロットマシン１０とを電気的に接続することができる。
　したがって、片手で操作可能なロック機構を使用したので容易にコイン払出装置をスロットマシンに着脱することができる。また、第１ローラと第２ローラとをそれぞれガイドレール先端付近とガイド片先端付近に設けたので、摩擦による大きな力が加わらず、コイン払出装置を着脱する際に大きな力を必要としない。
【００２６】
　第２実施例
　次に第２実施例のコイン払出装置について説明する。第１実施例と同一部材については同一符号を付し説明を省略する。
　図１１は、第２実施例のコイン払出装置に使用されるロック機構１１０の斜視図である。ロック機構１１０は、ステンレス等の金属で形成され、前面が矩形の薄板１１２で、中央にはレバー（ロック・解除部材）１１４が備えられている。薄板１１２の背面には、レバー収納部１１６と係止部材１１８を収納する係止収納部１２０とが設けられている。
【００２７】
　図１２に示すように、ロック機構１１０は、コイン払出装置の基台１２２の前面（図中手前側）に薄板１１２の四隅をねじ１２４、１２４、１２４、１２４で留めることによって固定されている。
【００２８】
　図１３は、図１１の線ＸＩ−ＸＩに沿ったロック機構１１０の断面図である。レバー１１４はレバー収納部１１６に収納され、レバー１１４の下部１１４ａには軸１２６が貫通し、レバー１１４は軸１２６を中心に所定の角度回動自在である。係止収納部１２０には、スプリング１２８と円柱状で先端が斜めに形成された係止部材１１８の約４分の３とが収納されている。係止部材１１８の中央上部には、凹部１１８ａが削られて形成されている。
【００２９】
　レバー１１４の下部１１４ａから突き出た凸部１１４ｂは、係止部１１８の凹部１１８ａに係合し、レバー１１４を時計回りに所定角度回転させると（図１４参照）、凸部１１４ｂが係止部材１１８を垂直上方（図中矢印方向）に引き上げ、スプリング１２８が縮まる。
【００３０】
　図１５は、第２実施例のコイン払出装置に使用される基板１３０であり、第１実施例の基板２０と同様に、両側が垂直方向に折れ曲がり、内側に一対のガイドレール１３２、１３４と第１ローラ１３６、１３８とが備えられている。基板１３０の図中手前側には、係止部材１１８を係止させる開口１４０が設けられている。
【００３１】
　次に、第２実施例のコイン払出装置に使用されるロック機構１１０の作用を説明する。
　図１６（Ａ）は、ロック機構１１０のロック状態を示す断面図である。ロック機構１１０の係止部材１１８は、開口１４０の係止面１４０ａに係止されている。
【００３２】
　コイン払出装置をスロットマシンから取り外すときには、レバー１１４を引くと、凸部１１４ｂが係止部材１１８を引き上げ、図１６（Ｂ）に示すように、係止部材１１８が係止収納部１２０に収納される。これにより、係止部材１１８による係止が解除される。そして、そのままレバー１１４を引っ張れば、コイン払出装置をスロットマシンから取り外すことができる。この時、第２コネクタ３１は第１コネクタ３０から離脱する。
　コイン払出装置をスロットマシンに収納するときには、レバー１１４を引っ張ったままコイン払出装置を押し込み、レバー１１４を元の位置に戻せばよい。これにより、係止部材１１８によってコイン払出装置を係止させることができる。この時、第１コネクタ３０と第２コネクタ３１とは結合している。
【００３３】
　上記のように、第２実施例によれば、レバー１１４を引っ張るだけで、スロットマシンからコイン払出装置を取り外すと共に第２コネクタ３１を第１コネクタから離脱することができる。また、レバー１１４を引いたままコイン払出装置を逆方向に移動させるだけで、スロットマシンに収納させることができ、第１コネクタ３０と第２コネクタ３１とを結合させることができる。
【００３４】
　したがって、片手で操作可能なロック機構を使用したので容易にコイン払出装置を着脱することができる。また、第１ローラと第２ローラとをそれぞれガイドレール先端付近とガイド片先端付近に設けたので、摩擦による大きな力が加わらず、コイン払出装置を着脱する際に大きな力を必要としない。
　なお、コネクタ同士の結合力を弱めにして、ガイドレール２２、２４及びガイド片３６を段差がなく水平な形状に形成し、ローラ３２、３４、３８を省略してもよい。
【図面の簡単な説明】
【００３５】
【図１】本発明の第１実施例のコイン払出装置をスロットマシンから取り外した状態を示す図。
【図２】第１実施例のコイン払出装置に使用される基板の斜視図。
【図３】第１実施例のコイン払出装置に使用されるロック機構の斜視図。
【図４】（Ａ）は図３のロック機構の一部を底面から観た図、（Ｂ）はロック機構に含まれる係止部材の外観を示す図。
【図５】第２コネクタが本発明のコイン払出装置に取り付けられた状態を示す側面図。
【図６】コネクタを示す図。
【図７】図６のコネクタが結合した状態を示す図。
【図８】図３のロック機構の動作を説明する図。
【図９】図３のロック機構が解除された状態を示す図。
【図１０】（Ａ）は第１実施例のコイン払出装置がロック機構により係止されている状態を示す図、（Ｂ）はロック機構の解除動作を示す断面図、（Ｃ）はロック機構が解除された状態を示す断面図。
【図１１】本発明の第２実施例のコイン払出装置に使用されるロック機構の斜視図。
【図１２】図１１のロック機構がコイン払出装置に取り付けられた状態を示す側面図。
【図１３】図１１の線ＸＩ−ＸＩに沿った断面図。
【図１４】図１１のレバーを手前に引いた状態を示す斜視図。
【図１５】第２実施例のコイン払出装置に使用される基板の斜視図。
【図１６】（Ａ）は図１１のロック機構の係止状態を示す断面図、（Ｂ）はロック機構の解除状態を示す断面図。
【符号の説明】
【００３６】
　１０…スロットマシン（遊技機）、１４…コイン払出装置、１６…バケット部、１８，１２２…基台、２０，１３０…基板、２２，２４，１３２，１３４…ガイドレール、２６…ロック部材、２８…解除部材、３０…第１コネクタ、３１…第２コネクタ、３２，３４，１３６，１３８…第１ローラ、３６…ガイド片、３８…第２ローラ、４４…係止部材、１１０…ロック機構、１１４…レバー（ロック・解除部材）、１１８…係止部材、１４０…開口。
【図１】
2004130148.tif 000003
【図２】
2004130148.tif 000004
【図３】
2004130148.tif 000005
【図４】
2004130148.tif 000006
【図５】
2004130148.tif 000007
【図６】
2004130148.tif 000008
【図７】
2004130148.tif 000009
【図８】
2004130148.tif 000010
【図９】
2004130148.tif 000011
【図１０】
2004130148.tif 000012
【図１１】
2004130148.tif 000013
【図１２】
2004130148.tif 000014
【図１３】
2004130148.tif 000015
【図１４】
2004130148.tif 000016
【図１５】
2004130148.tif 000017
【図１６】
2004130148.tif 000018